(57)【要約】      （修正有）【課題】キャップに不必要な重量物を設けて筆記具全体の重量を増加させることなく、キャップ頂部を底面として立設した際に転倒し難く構成できると共に、携帯性に優れたスタンド式筆記具を提供する。【解決手段】キャップ頂部３１を底面として立設可能なスタンド式筆記具１であって、筆記具本体２にキャップ３が装着した状態で、キャップ頂部３１から全長の５０％までに筆記具１全体の重心が位置する。筆記具本体２が、ペン先先端から全長の５０％までに筆記具本体２の重心が位置する。キャップ頂部３１の最大外径をＤとし、キャップ頂部３１から筆記具１全体の重心までの距離をＬとするとき、Ｌ／Ｄ≦１．５の関係を満たす。【選択図】図１
0003148546.tif 000002
【実用新案登録請求の範囲】
【請求項１】
キャップ頂部を底面として立設可能なスタンド式筆記具であって、筆記具本体にキャップが装着された状態で、キャップ頂部から全長の５０％までに筆記具全体の重心が位置することを特徴とするスタンド式筆記具。
【請求項２】
キャップ頂部を底面として立設可能なスタンド式筆記具であって、筆記具本体が、ペン先先端から全長の５０％までに筆記具本体の重心が位置することを特徴とするスタンド式筆記具。
【請求項３】
筆記具本体にキャップを装着した状態でキャップ頂部を底面として立設可能なスタンド式筆記具であって、キャップ頂部の最大外径をＤとし、キャップ頂部から筆記具全体の重心までの距離をＬとするとき、Ｌ／Ｄ≦１．５の関係を満たすことを特徴とするスタンド式筆記具。
【請求項４】
キャップ装着時の全長が１２０ｍｍ以下であることを特徴とする請求項１乃至３のいずれかに記載のスタンド式筆記具。
【請求項５】
キャップの全長が３０ｍｍ以下であることを特徴とする請求項１乃至４のいずれかに記載のスタンド式筆記具。
【請求項６】
前記筆記具本体が、ペン先を外方に突出する先端孔を備えた金属製前軸を有することを特徴とする請求項１乃至５のいずれかに記載のスタンド式筆記具。
【請求項７】
前記金属製前軸が筆記具重量全体の３０％以上を占めることを特徴とする請求項６記載のスタンド式筆記具。
【考案の詳細な説明】
【技術分野】
【０００１】
本考案は、スタンド式筆記具に関する。更には、立設状態で転倒し難く構成されたスタンド式筆記具に関する。
【背景技術】
【０００２】
従来より、底面を平滑面とし、開口部が上方になるように形成されたスタンド式キャップが開示されている（例えば特許文献１参照）。
前記キャップは、様々な筆記具に取り付けられるものであり、筆記具を立てた際の安定性を維持するために、底面部分の肉厚を厚くしたり、錘（重量物）を配設することで、キャップ底面に重心を設けている。そのため、筆記具全体の重量が増加してしまうので持ち運びには不向きなものとなる。
【特許文献１】実開平２−１２８８３号公報
【考案の開示】
【考案が解決しようとする課題】
【０００３】
本考案は、前記問題を解決するものであって、キャップに不必要な重量物を設けて筆記具全体の重量を増加させることなく、キャップ頂部を底面として立設した際に転倒し難く構成できると共に、携帯性に優れたスタンド式筆記具を提供するものである。
【課題を解決するための手段】
【０００４】
本考案は、キャップ頂部を底面として立設可能なスタンド式筆記具であって、筆記具本体にキャップが装着された状態で、キャップ頂部から全長の５０％までに筆記具全体の重心が位置することを要件とする。
更に、キャップ頂部を底面として立設可能なスタンド式筆記具であって、筆記具本体が、ペン先先端から全長の５０％までに筆記具本体の重心が位置することを要件とする。
更に、筆記具本体にキャップを装着した状態でキャップ頂部を底面として立設可能なスタンド式筆記具であって、キャップ頂部の最大外径をＤとし、キャップ頂部から筆記具全体の重心までの距離をＬとするとき、Ｌ／Ｄ≦１．５の関係を満たすことを要件とする。
更には、キャップ装着時の全長が１２０ｍｍ以下であること、キャップの全長が３０ｍｍ以下であること、前記筆記具本体が、ペン先を外方に突出する先端孔を備えた金属製前軸を有すること、前記金属製前軸が筆記具重量全体の３０％以上を占めることを要件とする。
尚、本考案において「前」とは、ペン先側を示し、「後」とは、軸筒側を示す。
【考案の効果】
【０００５】
本考案の請求項１により、筆記具が立設状態で安定して保持できる。
【０００６】
本考案の請求項２により、キャップの重量に左右されることなく、筆記具が立設状態で安定して保持できると共に、筆記時の重量バランスに優れたものとなる。
【０００７】
本考案の請求項３により、立設時に筆記具全体が傾斜状態になっても、倒れることなくキャップ頂部が底面となるような状態に戻り易くなるので、転倒し難いものとなる。
【０００８】
本考案の請求項４により、相対的に重心が下がるので、立設状態での安定感がより高いものとなる。
【０００９】
本考案の請求項５により、キャップ自体の安定感が増し、立設状態でより倒れ難いものとなる。
【００１０】
本考案の請求項６により、筆記具全体の重心を下げることが容易にできると共に、装飾性の高いものとなる。
【００１１】
本考案の請求項７により、立設状態での高い安定性が得られると共に、筆記時にペン先が紙面に当接し易くなる。
【考案を実施するための最良の形態】
【００１２】
本考案のスタンド式筆記具は、インキを収容する軸筒とペン先とから少なくとも構成される筆記具本体と、該筆記具本体に嵌着可能な開口部と立設時に底面になる頂部とを少なくとも備えたキャップから構成される。
【００１３】
前記スタンド式筆記具は、キャップを嵌着した状態での重心が、キャップの頂部（立設時底面）から全長の５０％、好ましくは４０％までに位置するように構成されている。これにより立設状態で安定して保持できる。
特に、キャップ装着時の全長を１２０ｍｍ以下、好ましくは１００ｍｍ以下とすることが好ましい。全長を小さく設定することで、相対的に重心を下げることができるので、立設状態での安定感がより高いものとなる。
【００１４】
また、前記スタンド式筆記具は、キャップ頂部の最大外径をＤとし、キャップ頂部から筆記具重心（キャップ嵌着時の重心）までの距離をＬとするとき、Ｌ／Ｄ≦１．５を満たすように設定される。前記二箇所の距離を前記関係式を満たすように形成することで、立設時に筆記具全体が傾斜状態になっても、キャップ頂部が底面となるような状態に戻り易くなるので、転倒し難いものとなる。
【００１５】
前記筆記具本体は、インキを収容する軸筒とペン先とから少なくとも構成されるものであり、構造や形状を特に限定することなく汎用のボールペンやマーキングペンの形態で使用できる。
例えば、マーキングペンとしては、繊維ペン体、フェルトペン体、プラスチックペン体、万年筆型金属ペン体等を筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペン（サインペン、フェルトペン、筆ペン等）が挙げられる。
また、ボールペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内にインキ組成物を充填したインキ収容管を有し、該インキ収容管はボールを先端部に装着したチップに連通しており、更にインキの端面には逆流防止用に液栓や固体栓等のインキ追従体が密接している構造のボールペンを例示できる。
【００１６】
前記筆記具本体の重心は、ペン先先端から全長の５０％、好ましくは４０％までに位置することが好ましい。これにより、キャップの重量に左右されることなく、筆記具が立設状態で安定して保持できる。また、筆記具前方（ペン先側）に重心が位置するので、筆記時の重量バランスに優れたものとなる。
【００１７】
前記筆記具にはペン先を外方に突出する先端孔を備えた金属製前軸（口金）を設けることが好ましく、特に、金属製前軸が筆記具重量全体の３０％以上、好ましくは４０％以上を占めるように設定することがより好ましい。前記金属製前軸は、鉄、真鍮、ステンレス鋼等により構成される。
前記前軸により、筆記具本体及び筆記具全体の重心を下げることが容易にできると共に、装飾性の高いものとなる。また、筆記時にペン先が紙面に当接し易くなるので、軽い筆圧での筆記が可能となる。
【００１８】
前記キャップは筆記具本体のペン先を密閉保護するものであり、筆記具本体に嵌着可能な開口部と立設時に底面になる頂部とを備える。特に、キャップの全長を３０ｍｍ以下とすることで、キャップ自体の安定感が増すため、筆記具立設状態においてより倒れ難いものとなる。
前記キャップ頂部のうち立設時に接触する部分（即ち、筆記具全体を支持する部分）は、立設時に机等の平面に対して安定して接触できるものであれば平面に限定されることなく、複数の突起を設けたもの等、種々の形状を用いることができる。また、前記頂部の外縁形状（即ち、頂部上方から視認した際の外縁形状）も立設可能であれば特に限定されることはないが、より高い安定性を得るために正多角形や略円形とすることが好ましい。
【実施例】
【００１９】
本考案の実施例を以下の図面に従って説明する。
図１は本考案のスタンド式筆記具の立設時外観図であり、図２は筆記具本体の外観図である。
【００２０】
スタンド式筆記具１は、胴部（後軸）２１と口金（前軸）２２とからなる軸筒内にボールペンレフィルを収容する筆記具本体２と、該筆記具本体２のペン先２３側に嵌着される立設可能なキャップ３とからなる。
【００２１】
前記筆記具本体２を構成する胴部２１は、ＰＰ樹脂、ＰＣ樹脂、ＰＳ樹脂、ＰＥＴ樹脂等の合成樹脂からなる中空状成形物（具体的にはポリカーボネート樹脂成形物）であり、全長（螺子部を含む）を７５ｍｍに設定されている。また、前記胴部２１前方に螺着される金属製の口金２２（具体的には真鍮製）は、全長１７ｍｍ、重量４．５ｇに設定されている。
前記胴部２１と口金２２とからなる軸筒内には、ボールペンチップを備えたインキ収容管内にインキ組成物及びインキ追従体を内蔵したボールペンレフィルが配設されており、筆記具本体２の全長（ペン先２３先端から胴部２１後端の距離）が９０ｍｍに設定されている。
前記筆記具本体２は、ペン先２３先端から筆記具本体２の重心Ｂまでの距離Ｍが３０ｍｍとなり、前方（ペン先側から全長の３０％の距離）に重心を有する構造であるため、筆記時の重量バランスに優れると共に、低い筆圧で筆記できる構成となっている。
【００２２】
前記キャップ３は、一端を立設可能な円形頂部３１とし、他端をペン先シール部材が収容される開口部とする、高さ２０ｍｍの樹脂成形物である。
前記頂部３１は、底面の外径Ｄ（即ち、立設時に支持面と接触する頂部３１の最大外径）が２５ｍｍの環状接触面となるようなラッパ状に形成される。
前記の形態とすることで、重量を付加することなく安定感の高いものとなる。
【００２３】
前記キャップ３と筆記具本体２からなるスタンド式筆記具１は、キャップ装着時の全長が９７ｍｍであり、キャップ頂部３１から重心Ａまでの距離Ｌが３３ｍｍである。また、前記筆記具１の全重量は１０ｇである。
前記スタンド式筆記具１は、キャップ頂部３１の外径Ｄ（２５ｍｍ）と、キャップ頂部３１から筆記具重心Ａまでの距離Ｌ（３３ｍｍ）とが、Ｌ／Ｄ＝１．３２となり、１．５より小さくなるように設定されている。そのため、立設時に筆記具１全体が傾斜状態になっても、キャップ頂部３１が底面となるように戻り易いので、転倒し難いものとなる。
また、口金２２の重量が筆記具１全体の重量の４５％を占めており、筆記具本体２の重心が前方に位置することから、キャップ３に転倒防止用の荷重を付与することなく、安定性の高いスタンド式筆記具を構成できる。そのため、携帯性に優れたものとなる。
【図面の簡単な説明】
【００２４】
【図１】本考案のスタンド式筆記具の一実施例を示す外観図である。
【図２】筆記具本体の外観図である。
【符号の説明】
【００２５】
１  スタンド式筆記具
２  筆記具本体
２１  胴部（後軸）
２２  口金（前軸）
２３  ペン先
３  キャップ
３１  頂部
Ａ  スタンド式筆記具の重心
Ｂ  筆記具本体の重心
Ｄ  キャップ頂部の最大距離
Ｌ  キャップ頂部から重心Ａまでの距離
Ｍ  ペン先から重心Ｂまでの距離
【図１】
0003148546.tif 000003
【図２】
0003148546.tif 000004